(57)【特許請求の範囲】
【請求項１】
蓋体（５）内のベロ−ズポンプ（２０）を押体（２３）の降下にて圧縮し、内容器（３）内の液体を注出機構（８）を介して外部へ吐出する空気圧利用式ポットの蓋体であって、上記蓋体（５）内のベロ−ズポンプ（２０）の周りに間隔を隔てて下板（１７）より上方に向けて上下方向の溝（２８）を備えたガイド壁（２７）を複数垂設し、この各ガイド壁（２７）とベロ−ズポンプ（２０）との間の下板（１７）上にベロ−ズポンプ（２０）を囲んだ操作筒（２４）を回動自在に載置し、操作筒（２４）外周側壁に縦孔（３２）と横孔（３３）とからなりガイド壁の数に相当する複数の規制孔（３１）と一つのつまみ（３０）とを設け、操作筒（２４）の上端内周側壁に上下方向に薄肉の薄肉部（３４）とこの薄肉部に隣接し上端より一段下がって上下方向に厚肉のガイド辺（３５）とを間隔を隔てて複数設け、ベロ−ズポンプ（２０）上端部に被せるベロ−ズ覆板（２２）の下端周側壁にガイド壁の数に相当する複数のスライド片（３６）と押体（２３）を支持する複数の支持片（３７）とを突設し、ベロ−ズ覆板（２２）の各スライド片（３６）を操作筒（２４）の各規制孔（３１）に内側より貫通して各ガイド壁（２７）の溝（２８）内にそれぞれ嵌合し、押体（２３）の外周側壁にガイド辺の数に相当する複数の摺動片（３８）を設け、ベロ−ズ覆板（２２）の上に押体（２３）を載置し、押体降下時にはつまみ（３０）を回動し各ガイド壁（２７）の溝（２８）と操作筒（２４）の各規制孔（３１）の縦孔（３２）とを合わせて、ベロ−ズ覆板（２２）の各スライド片（３６）を上下動可能にすると共に操作筒（２４）の各薄肉部（３４）上方に押体（２３）の各摺動片（３８）を配置し、押体ロック時にはつまみ（３０）を逆方向に回動し操作筒（２４）の各規制孔（３１）の横孔（３３）に各スライド片（３６）を配置すると共に押体（２３）の各摺動片（３８）を操作筒（２４）の各ガイド辺（３５）上方に配置して押体（２３）の上下動を規制することを特徴とした空気圧利用式ポットの蓋体。
【発明の詳細な説明】
【０００１】
【産業上の利用分野】
本発明は蓋体内のベロ−ズポンプを押圧して内容器内の液体を外部へ吐出する空気圧利用式ポットの蓋体に関するものである。
【０００２】
【従来の技術】
従来、空気圧利用式ポットの蓋体は蓋体内のベロ−ズポンプの直径を大きくするとストロークの割に空気排出量が多くなって、液体を外部へ吐出する量が多くなるが、押圧操作が重くなって力の弱いお年寄り等では使用困難であった。逆にベロ−ズポンプの直径を小さくすると押圧操作が軽くなる反面空気排出量が少なくなって、押圧操作を繰り返し行わなければならず煩わしい操作となっていた。そこで、押圧操作を軽くして空気排出量を多くするには、ベロ−ズポンプの直径を小さくしてストロークを大きくすればより理想的となる。
【０００３】
【発明が解決しようとする課題】
ところが、この種の空気圧利用式ポットの蓋体ではベロ−ズポンプの直径を小さくしてストロークを大きくすると、押圧時、又は押圧復帰時にベロ−ズポンプ等が上下方向に不安定で、変形しやすく、その修正をするために部品数も多くなり、しかも構造が非常に複雑で組立作業も煩雑となっていた。
【０００４】
そこで、本発明はこのような従来の容器の栓が有していた課題を解決したものであって、部品点数が少なくしかも構造が至って簡単で、組立作業も極めて容易となることを目的とした空気圧利用式ポットの蓋体を提供するにある。
【０００５】
【課題を解決するための手段】
上記目的を達成するために、本発明の空気圧利用式ポットの蓋体は蓋体５内のベロ−ズポンプ２０の周りに間隔を隔てて下板１７より上方に向けて上下方向の溝２８を備えたガイド壁２７を複数垂設し、この各ガイド壁２７とベロ−ズポンプ２０との間の下板１７上にベロ−ズポンプ２０を囲んだ操作筒２４を回動自在に載置し、操作筒２４外周側壁に縦孔３２と横孔３３とからなりガイド壁の数に相当する複数の規制孔３１と一つのつまみ３０とを設け、操作筒２４の上端内周側壁に上下方向に薄肉の薄肉部３４とこの薄肉部に隣接し上端より一段下がって上下方向に厚肉のガイド辺３５とを間隔を隔てて複数設け、ベロ−ズポンプ２０上端部に被せるベロ−ズ覆板２２の下端周側壁にガイド壁の数に相当する複数のスライド片３６と押体２３を支持する複数の支持片３７とを突設し、ベロ−ズ覆板２２の各スライド片３６を操作筒２４の各規制孔３１に内側より貫通して各ガイド壁２７の溝２８内にそれぞれ嵌合し、押体２３の外周側壁にガイド辺の数に相当する複数の摺動片３８を設け、ベロ−ズ覆板２２の上に押体２３を載置し、押体降下時にはつまみ３０を回動し各ガイド壁２７の溝２８と操作筒２４の各規制孔３１の縦孔３２とを合わせて、ベロ−ズ覆板２２の各スライド片３６を上下動可能にすると共に操作筒２４の各薄肉部３４上方に押体２３の各摺動片３８を配置し、押体ロック時にはつまみ３０を逆方向に回動し操作筒２４の各規制孔３１の横孔３３に各スライド片３６を配置すると共に押体２３の各摺動片３８を操作筒２４の各ガイド辺３５上方に配置して押体２３の上下動を規制してなる構成としている。
【０００６】
【発明の実施の形態】
以下、本発明の実施例について図に基づき説明する。
図中、図１は本発明実施例の縦断面図、図２は本発明実施例の蓋体構造を示す縦断面図、図３は本発明実施例の蓋体構造を示す分解斜視図である。
空気圧利用式ポット１は図１に示すように、外装ケース２に囲まれた内容器３と、外装ケース２の上端に結合した肩部材４と、肩部材４の上端に着脱自在に装着した蓋体５と、外装ケース２の下端に装着した底部材６と、内容器３内の液体を加熱する発熱体７と、内容器３内の液体を外部へ吐出する注出機構８とから構成している。
【０００７】
９はハンドルである。
外装ケース２は薄い鉄板を円筒状に形成し、上、下端を内側へカールしており、内容器３との間に隙間を設けている。
内容器３はステンレス等の金属材料にて有底筒状に形成しており、図１に示すように、上部を一旦内側へ絞り込んだ後拡げた口元とし、この口元を形成する周面に外側に拡がった鍔部を設けている。
【０００８】
内容器３の外側底面には内容器３内の液体を加熱するヒータ等の発熱体７と、内容器３内の液体温度を感知して発熱体７をＯＮ、ＯＦＦする温度調整器とを設けている。
肩部材４は中央の開口を形成する周壁に意容器３の鍔部を載置する環状段部を設けている。この肩部材４は前面に下端を開口した嘴部１０を設け、後端に後述の蓋体を装着するヒンジ部１１を設けている。
【０００９】
注出機構８は内容器３内の液体量を表示する液量表示管１３と、この液量表示管１３と内容器３内とを連通する下部ジョイント部材１４と、肩部材４の嘴部１０内にあって下向きに吐出口を有する吐出パイプ１５と、液量表示管１３と吐出パイプ１５との間にあってポット転倒時吐出パイプ１５への液体流出を阻止する転倒流水弁機構１６とからなっている。
【００１０】
蓋体５は図２に示すように、下板１７と上蓋１８との間にスプリング１９を内蔵したベロ−ズポンプ２０と、ベロ−ズポンプ２０の上端中央の開口に嵌合したプッシュ弁２１と、ベロ−ズポンプ２０の上部を覆うベロ−ズ覆板２２と、ベロ−ズ覆板２２に被さって上蓋１８の中央開口より突出した押体２３と、ベロ−ズポンプ２０の周側面を覆った操作筒２４と、上蓋１８の前部にあって肩部材４に係脱するロック機構２５と、上蓋１８の後部にあって肩部材４のヒンジ部１１に装着するヒンジ２６と、下板１７の下面を覆うステンレス板４０と、シールパッキン４１とからなっている。
【００１１】
下板１７は図３に示すように、内容器３内と連通する中央の開口にベロ−ズポンプ２０の下端開口を連通しており、ベロ−ズポンプ２０の周りに間隔を隔てて２個のガイド壁２７を垂設している。このガイド壁２７は等間隔に３乃至４個設けてもよい。
このガイド壁２７はベロ−ズポンプ２０側に向かって横断面コ字状の溝２８を上下方向に設けている。このガイド壁２７は下板１７にビス止めしているが下板１７に一体的に形成してもよい。
【００１２】
上蓋１８は図３に示すように、中央に後述の押体２３を上下挿通できる開口を形成し、この開口の前方に後述のつまみ３０を貫通するつまみ用孔２９を穿設し、前部の肩部材４の嘴部１０に相当する個所に蓋体５を肩部材４に係合するロック機構２５を設けている。
ベロ−ズポンプ２０内のスプリング１９は下端をベロ−ズポンプ２０内の下端開口周りに当接し、上端をプッシュ弁２１の下端に当接して、ベロ−ズポンプ２０内を拡げてプッシュ弁２１を押上げている。
【００１３】
ベロ−ズポンプ２０を囲んだ操作筒２４は図３に示すように、下板１７上に載置しており、外周壁上部にこの操作筒２４を摺動する一つのつまみ３０を設け、外周壁に縦孔３２と横孔３３とからなる規制孔３１をガイド壁に相当する複数を適宜の間隔を隔てて設けている。このつまみ３０は上蓋１８のつまみ用孔２９を貫通して上方に突出している。
【００１４】
この規制孔３１は操作筒２４の上部にて縦孔３２と横孔３３の左端とが連通している。
この縦孔３２は後述のベロ−ズ覆板２２のスライド片３６の幅を上下方向に挿通できる大きさに形成している。
この横孔３３は後述のベロ−ズ覆板２２のスライド片３６の厚みを横方向に挿通できる大きさに形成している。
【００１５】
この操作筒２４は内周側壁に上下方向に薄肉の薄肉部３４と、この薄肉部３４に隣接して上端面よりも一段下がって上下方向に厚肉のガイド辺３５とを間隔を隔てて後述の押体２３の摺動片３８の数に相当する複数を設けている。
【００１６】
ベロ−ズポンプ２０上端部に被せるベロ−ズ覆板２２は図３に示すように、中央にプッシュ弁２１とベロ−ズポンプ２０の上端中央の開口を形成する周壁とを覆わない大きさの開口を形成し、下端周側壁にガイド壁に相当する複数のスライド片３６と後述の押体２３を支持する複数の支持片３７とを突設している。このスライド片３６は操作筒２４の内側より各規制孔３１を貫通して各ガイド壁２７の溝２８内に摺動自在に挿通している。
【００１７】
押体２３は図３に示すように、ベロ−ズ覆板２２に被さってこのベロ−ズ覆板２２と操作筒２４の上部との間に挟まっている。この押体２３は周側壁上部に操作筒２４の各ガイド辺３５に当接する各摺動片３８を設けている。この押体２３は周側壁下端にベロ−ズ覆板２２の各支持片３７に支持される複数の保持孔３９を穿設している。
【００１８】
押体２３の各摺動片３８は図３に示すように、逆Ｌ形状にとっ突設しており、この逆Ｌ形状の水平部が各ガイド辺３５上に当接し、垂直部が操作筒２４の薄肉部３４内にあって、薄肉部３４内の前部及び後部に当接して押体２３の自由回動を規制している。
【００１９】
次に、操作について説明すると、
押体降下時には上蓋１８のつまみ用孔２９から突出したつまみ３０を回し、操作筒２４を回して各ガイド壁２７の溝２８と操作筒２４の各規制孔３１の縦孔３２とを合わせて、ベロ−ズ覆板２２の各スライド片３６を上下動可能状態とすると共に操作筒２４の各薄肉部３４上方に押体２３の各摺動片３８を配置することによって、押体２３を降下可能とする。
【００２０】
次に押体ロック時には上蓋１８のつまみ用孔２９から突出したつまみ３０を逆に回し、操作筒２４を逆方向に回して、操作筒２４の各規制孔３１の横孔３３に各スライド片３６を操作筒２４の各ガイド辺３５上方に配置すれば、ベロ−ズ覆板２２と押体２３とは降下できず、押体２３の上下動を規制することができる。
【００２１】
以上本発明の代表例と思われる実施例について説明したが、本発明は必ずしもこれらの実施例構造のみに限定されるものではなく、例えば、空気圧利用式の魔法びんであっても、本発明にいう前記の構成要件を備え、かつ、本発明にいう目的を達成し、以下にいう効果を有する範囲内において適宜改変して実施することができるものである。
【００２２】
【発明の効果】
以上の説明から既に明らかなように、本発明にいうところの空気圧利用式ポットの蓋体は蓋体内のベロ−ズポンプの周りに間隔を隔てて下板より上方に向けて上下方向の溝を備えたガイド壁を複数垂設し、この各ガイド壁とベロ−ズポンプとの間の下板上にベロ−ズポンプを囲んだ操作筒を回動自在に載置し、操作筒外周側壁に縦孔と横孔とからなりガイド壁の数に相当する複数の規制孔と一つのつまみとを設け、操作筒の上端内周側壁に上下方向に薄肉の薄肉部とこの薄肉部に隣接し上端より一段下がって上下方向に厚肉のガイド辺とを間隔を隔てて複数設け、ベロ−ズポンプ上端部に被せるベロ−ズ覆板の下端周側壁にガイド壁の数に相当する複数のスライド片と押体を支持する複数の支持片とを突設し、ベロ−ズ覆板の各スライド片を操作筒の各規制孔に内側より貫通して各ガイド壁の溝内にそれぞれ嵌合し、押体の外周側壁にガイド辺の数に相当する複数の摺動片を設け、ベロ−ズ覆板の上に押体を載置し、押体降下時にはつまみを回動し各ガイド壁の溝と操作筒の各規制孔の縦孔とを合わせて、ベロ−ズ覆板の各スライド片を上下動可能にすると共に操作筒の各薄肉部上方に押体の各摺動片を配置し、押体ロック時にはつまみを逆方向に回動し操作筒の各規制孔の横孔に各スライド片を配置すると共に押体の各摺動片を操作筒の各ガイド辺上方に配置して押体の上下動を規制してなる構成としているものであるから、部品点数が少なくしかも構造が至って簡単でコストの低廉をはかると共に煩わしさもなく組立作業も極めて容易となるという顕著な効果を期待することが出来るに至ったのである。
【図面の簡単な説明】
【図１】本発明実施例の縦断面図。
【図２】本発明実施例の蓋体構造を示す縦断面図。
【図３】本発明実施例の蓋体構造を示す分解斜視図。
【符号の説明】
１…空気圧利用式ポット
３…内容器
５…蓋体
８…注出機構
６…栓カバ−
１７…下板
１８…上蓋
２０…ベローズポンプ
２２…ベローズ覆板
２３…押体
２４…操作筒
２７…ガイド壁
２８…溝
３０…つまみ
３１…規制孔
３２…縦孔
３３…横孔
３４…薄肉部
３５…ガイド辺
３６…スライド片
３８…摺動片
【図１】
0004206204.tif 000002
【図２】
0004206204.tif 000003
【図３】
0004206204.tif 000004